(57)【要約】【課題】レンズ交換式カメラにおいて、カメラ本体に中間アクセサリ及び交換レンズを装着した際に中間アクセサリ及び交換レンズが不適正な動作をすることを防止したレンズ交換式カメラシステムを提供する。【解決手段】カメラ本体１と撮影レンズ鏡筒１０との間に中間アクセサリ２００を装着可能なレンズ交換式カメラシステム１００において、カメラ本体１に設けられた第１のＣＰＵ２１と、中間アクセサリ２００に設けられた第２のＣＰＵ２２１と、撮影レンズ鏡筒１０に設けられた第３のＣＰＵ４１と、を具備し、第１のＣＰＵ２１は、中間アクセサリ２００の装着動作に連動して第２のＣＰＵ２２１にリセット信号を出力し、第２のＣＰＵ２２１は、第１のＣＰＵ２１から出力されたリセット信号を受けて第３のＣＰＵ４１にリセット信号を出力することを特徴とする。【選択図】図７
2005115170.tif 000002
【特許請求の範囲】
【請求項１】
カメラ本体と撮影レンズ鏡筒との間に中間アクセサリを装着可能なレンズ交換式カメラシステムにおいて、
上記カメラ本体に設けられた第１のＣＰＵと、
上記中間アクセサリに設けられた第２のＣＰＵと、
上記撮影レンズ鏡筒に設けられた第３のＣＰＵと、
を具備し、
上記第１のＣＰＵは、上記中間アクセサリの装着動作に連動して上記第２のＣＰＵにリセット信号を出力し、上記第２のＣＰＵは、上記第１のＣＰＵから出力されたリセット信号を受けて上記第３のＣＰＵにリセット信号を出力することを特徴とするレンズ交換式カメラシステム。
【請求項２】
上記カメラ本体は、上記第１のＣＰＵ，上記第２のＣＰＵ，及び上記第３のＣＰＵに電源を供する回路を含み、上記第１のＣＰＵが上記第２のＣＰＵへの電源の供給を制御し、上記第２のＣＰＵが上記第３のＣＰＵへの電源の供給を制御することを特徴とする請求項１に記載のレンズ交換式カメラシステム。
【請求項３】
上記第１のＣＰＵは、上記第２のＣＰＵにリセット信号を出力した後に、上記第２のＣＰＵに電源を供給する制御を行い、その後、上記リセット信号を解除することを特徴とする請求項２に記載のレンズ交換式カメラシステム。
【請求項４】
上記第２のＣＰＵは、上記第３のＣＰＵにリセット信号を出力した後に、上記第３のＣＰＵに電源を供給する制御を行い、その後、上記リセット信号を解除することを特徴とする請求項２に記載のレンズ交換式カメラシステム。
【請求項５】
上記第２のＣＰＵは、上記第１のＣＰＵによりリセットが解除された後、上記第３のＣＰＵに対してリセット信号を出力することを特徴とする請求項４に記載のレンズ交換式カメラシステム。
【請求項６】
カメラ本体と、該カメラ本体に着脱可能な中間アクセサリと、該中間アクセサリに着脱可能な交換レンズとを有するレンズ交換式カメラシステムにおいて、
上記カメラ本体は、第１のＣＰＵと、上記中間アクセサリの装着動作に連動して変位する連動ピンと、上記第１のＣＰＵに接続され、上記中間アクセサリの装着開始に応じた上記連動ピンの変位によって第１の状態から第２の状態に切り替わり、上記中間アクセサリの装着完了に応じて上記第２の状態から上記第１の状態に切り替わる検知スイッチとを具備し、
上記中間アクセサリは、上記第１のＣＰＵによりリセットされる第２のＣＰＵと、上記交換レンズの装着動作に連動して変位する連動ピンと、上記第２のＣＰＵに接続され、上記交換レンズの装着開始に応じた上記連動ピンの変位によって第３の状態から第４の状態に切り替わり、上記交換レンズの装着完了に応じて上記第４の状態から上記第３の状態に切り替わる検知スイッチとを具備し、
上記交換レンズは、上記第２のＣＰＵによりリセットされる第３のＣＰＵを具備し、
上記第１のＣＰＵによる上記第２のＣＰＵのリセット解除は、上記カメラ本体の検知スイッチが上記第２の状態から上記第１の状態に切り替わった際に行われ、上記第２ＣＰＵによる上記第３のＣＰＵのリセット解除は、上記中間アクセサリの検知スイッチが上記第４の状態から上記第３の状態に切り替わった際に行われることを特徴とするレンズ交換式カメラシステム。
【請求項７】
上記第１のＣＰＵは、上記カメラ本体に上記中間アクセサリが装着され、また上記カメラ本体の検知スイッチが上記第１の状態から上記第２の状態に切り替わった際に上記第２のＣＰＵにリセット信号を出力し、また上記第２のＣＰＵへの電源の供給を制御し、さらに、上記第２の状態から上記第１の状態に切り替わった際に上記リセット信号を解除し、
上記第２のＣＰＵは、上記中間アクセサリに上記交換レンズが装着され、また上記中間アクセサリの検知スイッチが上記第３の状態から上記第４の状態に切り替わった際に上記第３のＣＰＵにリセット信号を出力し、また上記第３のＣＰＵへの電源の供給を制御し、さらに、上記第４の状態から上記第３の状態に切り替わった際に、上記第１のＣＰＵにレンズ有り情報を送信し、
上記第１のＣＰＵは、上記レンズ有り情報によって上記第２のＣＰＵに上記第３のＣＰＵのリセット解除命令を送信し、
上記第２のＣＰＵは、上記第３のＣＰＵのリセット解除命令に応答して上記第３のＣＰＵの上記リセット信号を解除するようにしたことを特徴とする請求項６に記載のレンズ交換式カメラシステム。
【請求項８】
上記第２のＣＰＵは、上記第３のＣＰＵへの電源供給の制御とリセット解除を行った後、上記中間アクセサリの連動ピンの変化によって、上記第３のＣＰＵの電源供給の停止制御とリセットを行うことを特徴とする請求項７に記載のレンズ交換式カメラシステム。
【発明の詳細な説明】
【技術分野】
【０００１】
本発明は、レンズ交換式カメラシステム、詳しくは、カメラ本体、該カメラ本体に着脱できる中間アクセサリ及び交換レンズからなるレンズ交換式カメラシステムに関する。
【背景技術】
【０００２】
周知のように、レンズ交換式カメラは、所謂コンパクトカメラのようにカメラ本体に撮影レンズが固定され単体として構成されるカメラではなく、カメラ本体と複数の交換レンズのいずれかとの組み合わせにより構成されるカメラであり、カメラ本体と交換レンズのマッチングには充分な配慮が必要である。
【０００３】
例えば、カメラ本体側の電源から交換レンズ内に設けられた電気回路に電力を供給する場合には、誤動作を防止するため、カメラ本体への交換レンズの装着完了後、所定のタイミングにより交換レンズに電源が供給されるようになっており、このような電源供給方法は、例えば特許文献１及び特許文献２に開示されている。
【０００４】
特許文献１では、カメラ本体及び交換レンズのマウント部に、複数の相対向する接点端子を設け、レンズの装着完了に伴ってそれらが相互に導通することにより電源をオンにするカメラシステムが開示されている。このような構造によれば、カメラ本体に交換レンズを装着するだけで、簡単にカメラ本体から交換レンズに電力を供給することができる。
【０００５】
また、特許文献２では、カメラ本体に装着する交換レンズの装着完了に伴って状態が切り換わるスイッチを設け、該スイッチの状態変化とカメラ本体の特定の動作状態（例えば電源スイッチオンまたはレリーズボタンの押動操作等）とのアンド条件により、交換レンズへの電源供給を開始するようにしたカメラシステムが開示されている。このような構造によれば、選択的にカメラ本体から交換レンズに電力を供給することができる。
【０００６】
ところで、交換レンズ側の電気回路にＣＰＵが含まれている場合には、電源供給の方法に注意が必要である。これは、電源投入直後は、電気回路の時定数やスイッチングの際のチャタリングによって供給電圧が不安定になりやすく、ＣＰＵが異常動作を起こしやすいからである。上記特許文献１及び特許文献２に開示された電源供給方法には、電源投入直後の電圧不安定状態については何ら言及されておらず、その対策も講じられていない。
【０００７】
このような事情に鑑み、特許文献３には、カメラ本体に交換レンズを装着した際、確実に交換レンズのレンズＣＰＵのリセットを行い、その後、カメラ本体からレンズＣＰＵへの電源供給が行われるようした技術が提案されている。
【０００８】
これにより、カメラ本体に交換レンズを装着した際に、電源投入直後の電圧不安定状態によるレンズＣＰＵの不具合を防止することができる。
【特許文献１】特開昭５９−０４８７４２号公報
【特許文献２】特開昭６２−２６７７３２号公報
【特許文献３】特願２００３−１０４４８７号公報
【発明の開示】
【発明が解決しようとする課題】
【０００９】
ところで、カメラ本体に交換レンズを装着する際、カメラ本体と交換レンズとの間に、例えばカメラ本体と交換レンズとの焦点距離を変化させるリアコンバータ等の中間アクセサリを装着することが一般に行われている。
【００１０】
この中間アクセサリの電気回路にＣＰＵが含まれている場合には、電源供給の方法に注意が必要である。これは、電源投入直後は、電気回路の時定数やスイッチングの際のチャタリングによって供給電圧が不安定になりやすく、ＣＰＵが異常動作を起こしやすいからである。上記特許文献３に開示された電源供給方法には、中間アクセサリをカメラ本体に装着した際の電源投入直後の中間アクセサリのＣＰＵの電圧不安定状態については何ら言及されておらず、その対策も講じられていない。
【００１１】
本発明は、上記事情に鑑みてなされたものであり、その目的は、レンズ交換式カメラにおいて、カメラ本体に中間アクセサリ及び交換レンズを装着した際に中間アクセサリ及び交換レンズが不適正な動作をすることを防止したレンズ交換式カメラシステムを提供するにある。
【課題を解決するための手段】
【００１２】
上記目的を達成するために本発明によるレンズ交換式カメラシステムは、カメラ本体と撮影レンズ鏡筒との間に中間アクセサリを装着可能なレンズ交換式カメラシステムにおいて、上記カメラ本体に設けられた第１のＣＰＵと、上記中間アクセサリに設けられた第２のＣＰＵと、上記撮影レンズ鏡筒に設けられた第３のＣＰＵと、を具備し、上記第１のＣＰＵは、上記中間アクセサリの装着動作に連動して上記第２のＣＰＵにリセット信号を出力し、上記第２のＣＰＵは、上記第１のＣＰＵから出力されたリセット信号を受けて上記第３のＣＰＵにリセット信号を出力することを特徴とする。
【００１３】
また、上記カメラ本体は、上記第１のＣＰＵ，上記第２のＣＰＵ，及び上記第３のＣＰＵに電源を供する回路を含み、上記第１のＣＰＵが上記第２のＣＰＵへの電源の供給を制御し、上記第２のＣＰＵが上記第３のＣＰＵへの電源の供給を制御することを特徴とし、さらに、上記第１のＣＰＵは、上記第２のＣＰＵにリセット信号を出力した後に、上記第２のＣＰＵに電源を供給する制御を行い、その後、上記リセット信号を解除することを特徴とし、また、上記第２のＣＰＵは、上記第３のＣＰＵにリセット信号を出力した後に、上記第３のＣＰＵに電源を供給する制御を行い、その後、上記リセット信号を解除することを特徴とし、さらに、上記第２のＣＰＵは、上記第１のＣＰＵによりリセットが解除された後、上記第３のＣＰＵに対してリセット信号を出力することを特徴とする。
【００１４】
本発明におけるレンズ交換式カメラシステムは、カメラ本体と、該カメラ本体に着脱可能な中間アクセサリと、該中間アクセサリに着脱可能な交換レンズとを有するレンズ交換式カメラシステムにおいて、上記カメラ本体は、第１のＣＰＵと、上記中間アクセサリの装着動作に連動して変位する連動ピンと、上記第１のＣＰＵに接続され、上記中間アクセサリの装着開始に応じた上記連動ピンの変位によって第１の状態から第２の状態に切り替わり、上記中間アクセサリの装着完了に応じて上記第２の状態から上記第１の状態に切り替わる検知スイッチとを具備し、上記中間アクセサリは、上記第１のＣＰＵによりリセットされる第２のＣＰＵと、上記交換レンズの装着動作に連動して変位する連動ピンと、上記第２のＣＰＵに接続され、上記交換レンズの装着開始に応じた上記連動ピンの変位によって第３の状態から第４の状態に切り替わり、上記交換レンズの装着完了に応じて上記第４の状態から上記第３の状態に切り替わる検知スイッチとを具備し、上記交換レンズは、上記第２のＣＰＵによりリセットされる第３のＣＰＵを具備し、上記第１のＣＰＵによる上記第２のＣＰＵのリセット解除は、上記カメラ本体の検知スイッチが上記第２の状態から上記第１の状態に切り替わった際に行われ、上記第２ＣＰＵによる上記第３のＣＰＵのリセット解除は、上記中間アクセサリの検知スイッチが上記第４の状態から上記第３の状態に切り替わった際に行われることを特徴とする。
【００１５】
さらに、上記第１のＣＰＵは、上記カメラ本体に上記中間アクセサリが装着され、また上記カメラ本体の検知スイッチが上記第１の状態から上記第２の状態に切り替わった際に上記第２のＣＰＵにリセット信号を出力し、また上記第２のＣＰＵへの電源の供給を制御し、さらに、上記第２の状態から上記第１の状態に切り替わった際に上記リセット信号を解除し、上記第２のＣＰＵは、上記中間アクセサリに上記交換レンズが装着され、また上記中間アクセサリの検知スイッチが上記第３の状態から上記第４の状態に切り替わった際に上記第３のＣＰＵにリセット信号を出力し、また上記第３のＣＰＵへの電源の供給を制御し、さらに、上記第４の状態から上記第３の状態に切り替わった際に、上記第１のＣＰＵにレンズ有り情報を送信し、上記第１のＣＰＵは、上記レンズ有り情報によって上記第２のＣＰＵに上記第３のＣＰＵのリセット解除命令を送信し、上記第２のＣＰＵは、上記第３のＣＰＵのリセット解除命令に応答して上記第３のＣＰＵの上記リセット信号を解除するようにしたことを特徴とし、また、上記第２のＣＰＵは、上記第３のＣＰＵへの電源供給の制御とリセット解除を行った後、上記中間アクセサリの連動ピンの変化によって、上記第３のＣＰＵの電源供給の停止制御とリセットを行うことを特徴とする。
【発明の効果】
【００１６】
本発明のレンズ交換式カメラシステムは、カメラ本体にアクセサリ装置及び交換レンズを装着した際に中間アクセサリ及び交換レンズが不適正な動作をすることを防止したレンズ交換式カメラシステムを提供することができる。
【発明を実施するための最良の形態】
【００１７】
以下、図面を参照して本発明の実施の形態を説明する。尚、本実施の形態においては、中間アクセサリは、リアコンバータを例に挙げて説明する。
【００１８】
（第１の実施の形態）
以下、本発明の実施の形態を図示の例によって説明する。  
図１は、本発明の一実施の形態を示すカメラシステムにおけるカメラ本体及び該カメラ本体に着脱可能なリアコンバータ並びに該リアコンバータに着脱可能な交換レンズを示した斜視図である。尚、以下の説明において、レンズ光軸Ｏの前方を被写体側とし、後方を結像面側とする。また、本発明におけるリアコンバータ及び交換レンズを装着するマウントは、所謂バヨネットマウントが用いられている。
【００１９】
図１に示すように、レンズ交換式カメラシステム１００は、カメラ本体１と、該カメラ本体１に着脱自在な中間アクセサリであるリアコンバータ２００と、カメラ本体１及びリアコンバータ２００に着脱自在な撮影レンズ鏡筒である交換レンズ１０とにより、主要部が構成されている。カメラ本体１の前面中央部には、リアコンバータ２００または交換レンズ１０を装着するためのマウント装着部７が前方に突出して形成されており、該マウント装着部７の前面７ａには、レンズ光軸Ｏに対し直角な水平な面からなるマウント面２ａを有する円環状のカメラ側マウント部２が、３本のビス３により固定されている。
【００２０】
そして、カメラ側マウント部２のマウント面（以下、カメラ側マウント面と称す）２ａの右側部（図１において）には、リアコンバータ２００の係合穴２１２または交換レンズ１０の係合穴１２に嵌入する連動ピン４が、マウント部２の内部に埋設された押圧バネ４ａ（図２参照）に付勢されて前方に突出して配設されている。
【００２１】
さらに、カメラ側マウント部２の内周縁部の等間隔位置には、リアコンバータ２００の３つのバヨネット爪部２１３または交換レンズ１０の３つのバヨネット爪部１３がスライド嵌入する３つのバヨネット爪係合部５が穿設されている。また、カメラ側マウント部２によって囲まれた領域において、マウント装着部７の前面７ａには、リアコンバータ２００に形成された複数のカメラ側端子群２１４（図４参照）または交換レンズ１０に形成された複数のレンズ側端子群１４に接触（接続）する、接触面が半球状の前方に突出した複数のカメラ側端子群６が配設されている。
【００２２】
また、マウント装着部７の右側面には、リアコンバータ２００または交換レンズ１０の装着解除釦８が配設されている。この解除釦８は、リアコンバータまたは交換レンズの装着状態において、リアコンバータ２００の係合穴２１２または交換レンズ１０の係合穴１２内において前方に突出した連動ピン４を、リアコンバータまたは交換レンズを外す際、リアコンバータ２００の係合穴２１２または交換レンズ１０の係合穴１２から離間させるためのものである。
【００２３】
リアコンバータ２００は、複数のレンズ群２１０を内部に有しており、その後端面には、円環状のリアコンバータ側マウント部２１１が形成されている。このリアコンバータ側マウント部２１１は、光軸Ｏに対し直角な面からなるバヨネット面２１１ａを有しており、該バヨネット面２１１ａの外周縁には、バヨネット面２１１ａと同一平面において形成された外方に突出した３つの上記バヨネット爪部２１３が形成されている。
【００２４】
また、リアコンバータ側マウント部２１１には、リアコンバータ２００をカメラ本体１に装着した際、連動ピン４が嵌入する上記係合穴２１２がカメラ側マウント面２ａから突出する連動ピン４の突出量よりも前方に深く穿設されており、さらに、リアコンバータ側バヨネット面２１１ａには、複数の上記カメラ側端子群６とスライド接触（接続）する複数のカメラ側端子群２１４が配設されている。尚、この複数のカメラ側端子群２１４は、リアコンバータ側バヨネット面２１１ａと同一平面となるように形成されている。
【００２５】
このように構成されたカメラ本体１に、リアコンバータ２００を装着するには、まず、リアコンバータ２００の３つのバヨネット爪部２１３をそれぞれカメラ本体１の３つのバヨネット爪係合部５間に嵌合させる。このとき、連動ピン４は、リアコンバータ側マウント部２１１に押圧され後退する（図５参照）。
【００２６】
次に、リアコンバータ２００をレンズ光軸Ｏを中心として一方向に停止するまで回転させる。すると、３つのバヨネット爪部２１３が３つのバヨネット爪係合部５内に係合した位置にてレンズは固定され装着される。この間、連動ピン４は、リアコンバータ側マウント部２１１に押圧されながら後退しており、その後、リアコンバータ装着位置で係合穴２１２に嵌入する（図７参照）。この連動ピン４が係合穴２１２に嵌入する直前の状態から嵌入した状態において、カメラ本体１に配設された複数のカメラ側端子群６は、リアコンバータ２００に配設された複数のカメラ側端子群２１４に正しく接触する。このようにして、リアコンバータ２００は、カメラ本体１に装着される。
【００２７】
一方、リアコンバータ２００をカメラ本体１から取り外す際には、まず、上記装着解除釦８を押すと、連動ピン４は、押圧バネ４ａの弾性に抗して後方に移動され、リアコンバータ２００の係合穴２１２から脱出する。
【００２８】
そして、上記解除釦８を押しながらリアコンバータ２００を装着したときと逆の方向に回転させる。これにより、３つのバヨネット爪部２１３は、３つのバヨネット爪係合部５内を装着時とは逆の方向にスライドし、３つのバヨネット爪係合部５から離間することによりリアコンバータ２００を光軸方向に引くと、カメラ本体１との装着は解除される。このようにして、リアコンバータ２００は、カメラ本体１から外される。尚、交換レンズ１０をカメラ本体１に着脱する場合も同様に行われる。
【００２９】
また、リアコンバータ２００の前端面には、交換レンズ１０を装着するためのレンズ光軸Ｏに対し直角な水平な面からなるマウント面２０２ａを有する円環状のリアコンバータ側マウント部２０２が、３本のビス２０３により固定されている。
【００３０】
そして、リアコンバータ側マウント部２０２のマウント面（以下、リアコンバータ側マウント面と称す）２０２ａの右側部（図１において）には、交換レンズ１０の係合穴１２に嵌入する連動ピン２０４が、マウント部２０２の内部に埋設された押圧バネ２０４ａ（図４参照）に付勢されて前方に突出して配設されている。
【００３１】
さらに、リアコンバータ側マウント部２０２の内周縁部の等間隔位置には、交換レンズ１０の３つのバヨネット爪部１３がスライド嵌入する３つのバヨネット爪係合部２０５が穿設されている。また、リアコンバータ側マウント部２０２によって囲まれた領域には、交換レンズ１０に形成された複数のレンズ側端子群１４に接触（接続）する、接触面が半球状の前方に突出した複数のレンズ側端子群２０６が配設されている。
【００３２】
また、リアコンバータ２００の右側面の前部には、交換レンズ１０の装着解除釦２０８が配設されている。この解除釦２０８は、レンズ装着状態において、交換レンズ１０の係合穴１２内において前方に突出した連動ピン２０４を、レンズを外す際、交換レンズ１０の係合穴１２から離間させるためのものである。
【００３３】
交換レンズ１０は、複数のレンズ群１０ａを内部に有しており、その後端面には、円環状のレンズ側マウント部１１が形成されている。このレンズ側マウント部１１は、レンズ光軸Ｏに対し直角な面からなるバヨネット面１１ａを有しており、該バヨネット面１１ａの外周縁には、バヨネット面１１ａと同一平面において形成された外方に突出した３つの上記バヨネット爪部１３が形成されている。
【００３４】
また、レンズ側マウント部１１には、交換レンズ１０をリアコンバータ２００に装着した際、連動ピン２０４が嵌入する上記係合穴１２がリアコンバータ側マウント面２０２ａから突出する連動ピン２０４の突出量よりも前方に深く穿設されており、さらに、レンズ側バヨネット面１１ａには、複数の上記レンズ側端子群２０６とスライド接触（接続）する複数の上記レンズ側端子群１４が配設されている。尚、この複数のレンズ側端子群１４は、レンズ側バヨネット面１１ａと同一平面となるように形成されている。
【００３５】
このように構成されたリアコンバータ２００に、交換レンズ１０を装着するには、まず、交換レンズ１０の３つのバヨネット爪部１３をそれぞれリアコンバータ２００の３つのバヨネット爪係合部２０５間に嵌合させる。このとき、連動ピン２０４は、レンズ側マウント部１１に押圧され後退する（図６参照）。
【００３６】
次に、交換レンズ１０を光軸Ｏを中心として一方向に停止するまで回転させる。すると、３つのバヨネット爪部１３が３つのバヨネット爪係合部２０５内に係合した位置にてレンズは固定され装着される。この間、連動ピン２０４は、レンズ側マウント部１１に押圧されながら後退しており、その後、レンズ装着位置において係合穴１２に嵌入する（図７参照）。この連動ピン２０４が係合穴１２に嵌入する直前の状態から嵌入した状態において、リアコンバータ２００に配設された複数のレンズ側端子群２０６は、交換レンズ１０に配設された複数のレンズ側端子群１４に正しく接触する。このようにして、交換レンズ１０は、リアコンバータ２００に装着される。
【００３７】
一方、交換レンズ１０をリアコンバータ２００から取り外す際には、まず、上記装着解除釦２０８を押すと、連動ピン２０４は、押圧バネ２０４ａの弾性に抗して後方に移動され、交換レンズ１０の係合穴１２から脱出する。
【００３８】
そして、上記解除釦２０８を押しながら交換レンズ１０を装着したときと逆の方向に回転させる。これにより、３つのバヨネット爪部１３は、３つのバヨネット爪係合部２０５内を装着時とは逆の方向にスライドし、３つのバヨネット爪係合部２０５から離間するのため、交換レンズ１０を光軸方向に引くと、リアコンバータ２００との装着は解除される。このようにして、交換レンズ１０は、リアコンバータ２００から外される。
【００３９】
図２は、図１のカメラ本体１内の電気回路の構成を示すブロック図である。  
図２に示すように、カメラ本体１の電気回路は、カメラ本体１全体の動作を制御する第１のＣＰＵであるカメラＣＰＵ（以下、ＢＣＰＵと称す）２１、カメラＲＯＭ２２、電圧安定化回路２４を有する電気回路２０と、電源電池２３ａまたはＡＣアダプタ（図示されず）等により構成された電源回路２３と、プッシュスイッチからなり、上記押圧バネ４ａによって付勢された連動ピン４の状態を検知する検知スイッチ２５と、複数の端子からなる上記カメラ側端子群６とにより、その主要部が構成されている。尚、カメラＲＯＭ２２は、ＢＣＰＵ２１内にあっても良い。
【００４０】
ＢＣＰＵ２１は、電源端子Ｖｃｃ１，電圧安定化回路制御用端子ＶＣＯＮＴ，レンズ検出端子ＬＳＤＴＣＴ，アクセサリ及びレンズリセット端子ＬＳＲＳＴ、レンズＣＰＵ起動応答端子ＬＳＬ２Ｂ１，レンズ通信要求端子ＬＳＢ２Ｌ１，通信データ端子ＬＳＤＩＯ１，通信クロック端子ＬＳＣＬＫ１，アクセサリ通信要求端子ＬＳＢ２Ａ１，ロックピンスイッチ（ＳＷ）端子ＬＰＳＷ，ＧＮＤ端子を有している。
【００４１】
また、ＢＣＰＵ２１は、後述するが、上記アクセサリ及びレンズリセット端子ＬＳＲＳＴからリアコンバータ２００のリアコンバータＣＰＵ２２１（図４参照）に出力するリセット信号を解除する際に用いる図示しないタイマを有している。
【００４２】
カメラ側端子群６は、リアコンバータ２００及び交換レンズ１０に電源を供給するための第１の電源端子２６と、第１の接地端子２７と、リアコンバータ２００または交換レンズ１０の装着を検出する第１の信号端子２８ａと、後述するリアコンバータ２００のＡＣＰＵ２２１（図４参照）または交換レンズ１０のレンズＣＰＵ４１にリセット信号を出力するための第２の信号端子２８ｂからなるカメラ側信号端子２８と、第１の通信端子２９ａ、第２の通信端子２９ｂ、第３の通信端子２９ｃ、第４の通信端子２９ｄ、第５の通信端子２９ｅからなり、ＢＣＰＵ２１とＡＣＰＵ２２１及びレンズＣＰＵ４１またはレンズＣＰＵ４１との間により相互通信するためのカメラ側通信端子２９とにより構成されている。
【００４３】
電源回路２３のカメラ側電源ラインとカメラ側接地ライン間には、カメラＲＯＭ２２、ＢＣＰＵ２１、電圧安定化回路２４がそれぞれ接続されており、また、検知スイッチ２５の固定端子もカメラ側接地ラインに接続されている。
【００４４】
ＢＣＰＵ２１は、電源端子Ｖｃｃ１が上記カメラ側電源ラインに接続され、上記端子ＶＣＯＮＴは電圧安定化回路２４の入力端に接続され、上記端子ＬＳＤＴＣＴは第１の信号端子２８ａに接続され、上記アクセサリ及びレンズリセット端子ＬＳＲＳＴは第２の信号端子２８ｂに接続され、上記ＬＳＬ２Ｂ１端子は第１の通信端子２９ａに接続され、上記ＬＳＢ２Ｌ１端子は第２の通信端子２９ｂに接続され、上記ＬＳＤＩＯ１端子は第３の通信端子２９ｃに接続され、上記ＬＳＣＬＫ１端子は第４の通信端子２９ｄに接続され、上記アクセサリ通信要求端子ＬＳＢ２Ａ１端子は第５の通信端子２９ｅに接続され、上記ＬＰＳＷ端子は検知スイッチ２５に接続されており、そして、上記ＧＮＤ端子は上記カメラ側接地ラインに接続されている。
【００４５】
尚、カメラ側端子群６は、リアコンバータ２００をカメラ本体１に装着した際には、第１の電源端子２６にリアコンバータ２００の後述する第３の電源端子２２６が、第１の接地端子２７にリアコンバータ２００の後述する第３の接地端子２２７が、カメラ側信号端子２８にリアコンバータ２００の後述するカメラ側信号端子２２８が、カメラ側通信端子２９にリアコンバータ２００の後述するカメラ側通信端子２２９が、後述する図５、図６、図７に示すようにそれぞれ接触する。
【００４６】
または、カメラ側端子群６は、交換レンズ１０をカメラ本体１に装着した際には、第１の電源端子２６に交換レンズ１０の後述する第２の電源端子４６が、第１の接地端子２７に交換レンズ１０の後述する第２の接地端子４７が、カメラ側信号端子２８に交換レンズ１０の後述するレンズ側信号端子４８が、カメラ側通信端子２９に交換レンズ１０の後述するレンズ側通信端子４９がそれぞれ接触する。
【００４７】
カメラＲＯＭ２２はＢＣＰＵ２１に接続されており、また、電圧安定化回路２４は、その出力端が上記第１の電源端子２６に接続されており、上記第１の接地端子２７はカメラ側接地ラインに接続されている。
【００４８】
カメラＲＯＭ２２は、不揮発性のメモリ等により構成されており、例えばリアコンバータ２００及び交換レンズ１０を識別するための情報が記憶されている。
【００４９】
電圧安定化回路２４は、例えばＤＣ／ＤＣコンバータから構成されており、ＢＣＰＵ２１の上記ＶＣＯＮＴ端子に制御され、電源回路２３から出力された電圧を安定化し、この安定化した電圧を第１の電源端子２６を介して交換レンズ１０及びリアコンバータ２００または交換レンズ１０に電源電圧として供給する。
【００５０】
連動ピン４は、カメラ本体１にリアコンバータ２００または交換レンズ１０が装着されていない場合には、押圧バネ４ａに付勢されて、前端部がカメラ側マウント面２ａから前方に突出しており、後端部は検知スイッチ２５から前方に離間した位置にある。よって、検知スイッチ２５のプッシュスイッチは、第１の状態、即ちオフ状態となっている。
【００５１】
検知スイッチ２５は、カメラ本体１にリアコンバータ２００または交換レンズ１０が装着されたか否かを検知するスイッチであり、プッシュスイッチからなり、上記押圧バネ４ａによって付勢された連動ピン４の状態が第１の状態であるオフ状態であるか、第２の状態であるオン状態であるかを検知する。
【００５２】
図３は、図１の交換レンズ１０の電気回路の構成を示すブロック図である。  
図３に示すように、交換レンズ１０の電気回路は、交換レンズ１０全体の動作を制御する第３のＣＰＵであるレンズＣＰＵ（以下、ＬＣＰＵと称す）４１、レンズＲＯＭ４２、モータ駆動回路４３、電圧変換回路４４を有する電気回路４０と、複数の端子からなるレンズ側端子群１４とにより、その主要部が構成されている。尚、このレンズＲＯＭ４２は、ＬＣＰＵ４１内にあっても良い。
【００５３】
ＬＣＰＵ４１は、電源端子Ｖｃｃ２，リセット端子ＲＥＳＥＴ、レンズＣＰＵ起動応答端子ＬＳＬ２Ｂ２，レンズ通信出力端子ＬＳＢ２Ｌ２，通信データ端子ＬＳＤＩＯ２，通信クロック端子ＬＳＣＬＫ２，アクセサリ通信要求端子ＬＳＢ２Ａ２，ＧＮＤ端子を有している。
【００５４】
レンズ側端子群１４は、ＬＣＰＵ４１に電源を供給するための第２の電源端子４６と、第２の接地端子４７と、リアコンバータ２００の装着またはカメラ本体１への装着を検出するための第３の信号端子４８ａ、ＡＣＰＵ２２１の後述するレンズリセット端子ＬＳＲＳＴ３またはＢＣＰＵ２１のアクセサリ及びレンズリセット端子ＬＳＲＳＴからのリセット信号を入力するための第４の信号端子４８ｂからなるレンズ側信号端子４８と、第６の通信端子４９ａ、第７の通信端子４９ｂ、第８の通信端子４９ｃ、第９の通信端子４９ｄ、第１０の通信端子４９ｅからなり、ＢＣＰＵ２１及びＡＣＰＵ２２１またはＢＣＰＵ２１とＬＣＰＵ４１との間により相互通信するためのレンズ側通信端子４９とにより、構成されている。
【００５５】
尚、レンズ側端子群１４は、交換レンズ１０をリアコンバータ２００に装着した際には、第２の電源端子４６にリアコンバータ２００の後述する第４の電源端子２４６が、第２の接地端子４７にリアコンバータ２００の後述する第４の接地端子２４７が、レンズ側信号端子４８にリアコンバータ２００の後述するレンズ側信号端子２４８が、レンズ側通信端子４９にリアコンバータ２００の後述するレンズ側通信端子２４９が、後述する図６、図７に示すようにそれぞれ接触する。尚、交換レンズ１０をカメラ本体１に装着する場合は、上述したように接続される。
【００５６】
モータ駆動回路４３は、第２の電源端子４６に接続されたレンズ側電源ラインと第２の接地端子４７、第３の信号端子４８ａに接続されたレンズ側接地ライン間に接続されている。
【００５７】
ＬＣＰＵ４１の端子Ｖｃｃ２は、電圧変換回路４４を介してレンズ側電源ラインに接続され、上記ＲＥＳＥＴ端子は第４の信号端子４８ｂに接続され、上記ＬＳＬ２Ｂ２端子は第６の通信端子４９ａに接続され、上記ＬＳＢ２Ｌ２端子は第７の通信端子４９ｂに接続され、上記ＬＳＤＩＯ２端子は第８の通信端子４９ｃに接続され、上記ＬＳＣＬＫ２端子は第９の通信端子４９ｄに接続され、上記ＬＳＢ２Ａ２端子は第１０の通信端子４９ｅに接続され、そして、上記ＧＮＤ端子は上記レンズ側接地ラインに接続されている。
【００５８】
レンズＲＯＭ４２は、ＬＣＰＵ４１の端子Ｖｃｃ２とレンズ側接地ライン間に接続され、その出力端はＬＣＰＵ４１に接続されている。また、レンズＲＯＭ４２は、不揮発性のメモリ等により構成されており、例えば交換レンズ１０を識別するための情報が記憶されている。
【００５９】
モータ駆動回路４３は、交換レンズ１０に内蔵された図示しないモータを駆動する回路であって、ＡＦ制御用の複数のレンズ群１０ａ（図１参照）を光軸方向に移動させてＡＦ制御を行わせるものである。
【００６０】
電圧変換回路４４は、例えば電圧レギュレータ回路から構成されており、カメラ本体１の電圧安定化回路２４から供給された電力を、ＬＣＰＵ４１供給用に変換して、該ＬＣＰＵ４１及びレンズＲＯＭ４２に変換した電力を供給する回路である。
【００６１】
このように第２の電気回路４０を構成することにより、モータ駆動回路４３には、電圧変換回路４４を介さずにカメラ本体１の電源回路２３（図２参照）からの電源が供給され、ＬＣＰＵ４１及びレンズＲＯＭ４２の制御には、電圧変換回路４４を介して電源が供給されるようになっている。
【００６２】
図４は、図１のリアコンバータ２００の電気回路の構成を示すブロック図である。  
図４に示すように、リアコンバータ２００の電気回路は、トランジスタ２０１、リアコンバータ２００全体の動作を制御する第２のＣＰＵであるリアコンバータＣＰＵ（以下、ＡＣＰＵと称す）２２１、不揮発性のメモリ等から構成されたリアコンバータＲＯＭ２２２、電源変換回路２２４を有する電気回路２２０と、プッシュスイッチからなり、上記押圧バネ２０４ａによって付勢された連動ピン２０４の状態を検知する検知スイッチ２２５と、複数の端子からなるカメラ側端子群２１４と、複数の端子からなるレンズ側端子群２０６とにより、その主要部が構成されている。尚、このリアコンバータＲＯＭ２２２は、ＡＣＰＵ２２１内にあっても良い。
【００６３】
ＡＣＰＵ２２１は、電源端子Ｖｃｃ３，リセット端子ＲＥＳＥＴ３、ＡＣＰＵ起動応答端子ＬＳＬ２Ｂ３，リアコンバータ通信要求端子ＬＳＢ２Ａ３１，レンズ通信出力端子ＬＳＢ２Ｌ３，通信データ端子ＬＳＤＩＯ３，通信クロック端子ＬＳＣＬＫ３，アクセサリ通信要求端子ＬＳＢ２Ａ３２，トランジスタ２０１のＯＮ／ＯＦＦを制御するＶＣＯＮＴ３，レンズ検出端子ＬＳＤＴＣＴ３，レンズリセット端子ＬＳＲＳＴ３，ロックピンスイッチＬＰＳＷ３，ＧＮＤ端子を有している。
【００６４】
カメラ側端子群２１４は、ＡＣＰＵ２１に電源を供給するための第３の電源端子２２６と、第３の接地端子２２７と、リアコンバータ２００の装着を検出するための第５の信号端子２２８ａ、ＢＣＰＵ２１からリセット信号を入力するための第６の信号端子２２８ｂからなるカメラ側信号端子２２８と、第１１の通信端子２２９ａ、第１２の通信端子２２９ｂ、第１３の通信端子２２９ｃ、第１４の通信端子２２９ｄ、第１５の通信端子２２９ｅからなり、ＢＣＰＵ２１とＡＣＰＵ２２１との間を相互通信するためのカメラ側通信端子２２９とにより、構成されている。
【００６５】
尚、カメラ側端子群２１４は、リアコンバータ２００をカメラ本体１に装着した際には、第３の電源端子２２６がカメラ本体１の第１の電源端子２６に、第３の接地端子２２７がカメラ本体１の第３の接地端子２２７に、カメラ側信号端子２２８がカメラ側信号端子２８、カメラ側通信端子２２９がカメラ側通信端子２９に、後述する図５、図６、図７に示すようにそれぞれ接触する。
【００６６】
レンズ側端子群２０６は、ＬＣＰＵ４１に電源を供給するための第４の電源端子２４６と、第４の接地端子２４７と、交換レンズ１０の装着を検出するための第７の信号端子２４８ａ、ＬＣＰＵ４１にリセット信号を入力するための第８の信号端子２２８ｂからなるレンズ側信号端子２４８と、第１６の通信端子２４９ａ、第１７の通信端子２４９ｂ、第１８の通信端子２４９ｃ、第１９の通信端子２４９ｄ、第２０の通信端子２４９ｅからなり、ＡＣＰＵ２２１とＬＣＰＵ４１との間を相互通信するためのレンズ側通信端子２４９とにより、構成されている。
【００６７】
尚、レンズ側端子群２０６は、リアコンバータ２００に交換レンズ１０を装着した際には、第４の電源端子２４６が交換レンズ１０の第２の電源端子４６に、第４の接地端子２４７が交換レンズ１０の第２の接地端子４７に、レンズ側信号端子２４８がレンズ側信号端子４８、レンズ側通信端子２４９がレンズ側通信端子４９に、後述する図７に示すようにそれぞれ接触する。
【００６８】
ＡＣＰＵ２２１の端子Ｖｃｃ３は、電源変換回路２２４を介してアクセサリ側電源ラインに接続され、上記ＬＳＢ２Ａ３１端子は第２０の通信端子２４９ｅに接続され、上記ＲＥＳＥＴ３端子は第６の信号端子２２８ｂに接続され、上記ＬＳＬ２Ｂ３端子は第１１の通信端子２２９ａに接続され、上記ＬＳＢ２Ｌ３端子は第１２の通信端子２２９ｂに接続され、上記ＬＳＤＩＯ３端子は第１３の通信端子２２９ｃに接続され、上記ＬＳＣＬＫ３端子は第１４の通信端子２２９ｄに接続され、上記ＬＳＢ２Ａ３２端子は第１５の通信端子２２９ｅに接続され、そして、上記ＧＮＤ端子はアクセサリ側接地ラインに接続されている。また、上記ＶＣＯＮＴ３端子はトランジスタ２０１のベースに接続されており、上記ＬＳＤＴＣＴ３端子は第７の信号端子２４８ａに接続されており、上記ＬＳＲＳＴ３端子は第８の信号端子２４８ｂに接続されている。
【００６９】
リアコンバータＲＯＭ２２２は、アクセサリ側電源ラインとアクセサリ側接地ライン間に接続され、その出力端はＡＣＰＵ２２１に接続されている。また、トランジスタ２０１のエミッタは、第３の電源端子２２６に接続されており、さらに、トランジスタ２０１のコレクタは第４の電源端子２４６に接続されている。
【００７０】
また、リアコンバータＲＯＭ２２２は、不揮発性のメモリ等により構成されており、例えばリアコンバータ２００を識別するための情報が記憶されている。
【００７１】
電源変換回路２２４は、例えば電圧レギュレータ回路により構成されており、カメラ本体１の電圧安定化回路２４から供給された電力を、ＡＣＰＵ２２１供給用に変換して、該ＡＣＰＵ２２１及びリアコンバータＲＯＭ２２２用に変換した電力を供給する回路である。
【００７２】
トランジスタ２０１は、カメラ本体１の電圧安定化回路２４からの電源出力を交換レンズ１０へ供給、または遮断するためのものである。
【００７３】
連動ピン２０４は、リアコンバータ２００に交換レンズ１０が装着されていない場合には、押圧バネ２０４ａに付勢されて、前端部がリアコンバータ側マウント面２０２ａから前方に突出しており、後端部は検知スイッチ２２５から前方に離間した位置にある。よって、検知スイッチ２２５のプッシュスイッチは、第３の状態、即ちオフ状態となっている。
【００７４】
検知スイッチ２２５は、リアコンバータ２００に交換レンズ１０が装着されたか否かを検知するスイッチであり、プッシュスイッチからなり、上記押圧バネ２０４ａによって付勢された連動ピン２０４の状態が第３の状態であるオフ状態であるか、第４の状態であるオン状態であるかを検知する。
【００７５】
次に、このように構成されたカメラ本体１とリアコンバータ２００と交換レンズ１０とを用いて本発明の実施の形態であるレンズ交換式カメラシステム１００のリアコンバータ２００及び交換レンズ１０への電源供給方法について説明する。
【００７６】
図５は、図２中のカメラ本体１に図４中のリアコンバータ２００を装着後、連動ピン４が係合穴２１２に嵌入する直前の状態を示した、レンズ交換式カメラシステム１００の電気回路の構成を示すブロック図、図６は、カメラ本体１にリアコンバータ２００を装着した後に図４中のリアコンバータ２００に図３中の交換レンズ１０を装着後、連動ピン２０４が係合穴１２に嵌入する直前の状態を示した、レンズ交換式カメラシステム１００の電気回路の構成を示すブロック図、図７は、図２中のカメラ本体１にリアコンバータ２００を装着後、連動ピン４が係合穴２１２に嵌入した後の状態、及び図４中のリアコンバータ２００に交換レンズ１０を装着後、連動ピン２０４が係合穴１２に嵌入した後の状態を示したカメラシステムの電気回路の構成を示すブロック図である。
【００７７】
また、図８は、カメラ本体１にリアコンバータ２００または交換レンズ１０を装着する際のＢＣＰＵ２１の装着確認動作を示したフローチャート、図１３は、リアコンバータ２００を装着する前後のカメラ本体１のＢＣＰＵ２１の動作を示したタイミングチャート、図１４は、交換レンズ１０を装着する前後のリアコンバータ２００のＡＣＰＵ２２１の動作を示したタイミングチャートである。
【００７８】
図８に示すように、カメラシステム１００では、カメラ本体１へのリアコンバータ２００または交換レンズ１０の装着開始状態、即ちカメラ本体１の３つのバヨネット爪係合部５（図１参照）間に、リアコンバータ２００の３つのバヨネット爪部２１３（図１参照）または交換レンズ１０の３つのバヨネット爪部１３（図１参照）を嵌合させ、かつ、連動ピン４がリアコンバータ２００のリアコンバータ側マウント部２１１または交換レンズ１０の交換レンズ側マウント部１１に押圧されることにより、連動ピン４が、カメラ側マウント部２内に後退した状態においては、図５または図６に示すように、連動ピン４の後端部が、検知スイッチ２５を押圧することにより、検知スイッチ２５が第１にの状態であるオフから第２の状態であるオンの状態となる。このオン状態で、ＢＣＰＵ２１の上記ロックピンスイッチ端子ＬＰＳＷがオフからオンに切り替わる（図１３，＊１）。
【００７９】
上記ＬＰＳＷがオンになったことに応じて、ＢＣＰＵ２１は、ステップＳ１０１において、ハイインピーダンス状態の上記アクセサリ及びレンズリセット端子ＬＳＲＳＴからリセット信号であるＬ（ロー）信号を出力する（図１３，＊２）。尚、この状態では、カメラ側端子群６とリアコンバータ２００のカメラ側端子群２１４または交換レンズ１０のレンズ側端子群１４は、まだ接触していないため、上記アクセサリ及びレンズリセット端子ＬＳＲＳＴからのリセット信号がＡＣＰＵ２２１またはＬＣＰＵ４１に送られることはない。
【００８０】
次に、カメラ本体１に、リアコンバータ２００または交換レンズ１０が装着完了となる直前の状態、即ち、リアコンバータ２００または交換レンズ１０を一方向にスライド回転させ、リアコンバータ側マウント部２１１またはレンズ側マウント部１１が連動ピン４を押圧しながら回動し、図５に示すように、検知スイッチ２５がオン状態でかつ連動ピン４が係合穴２１２または係合穴１２に嵌入する直前の状態において、カメラ側端子群６とリアコンバータ２００のカメラ側端子群２１４または交換レンズ１０のレンズ側端子群１４は接触する。このとき、カメラ側端子群６の第２の信号端子２８ｂとカメラ側端子群２１４の第６の信号端子２２８ｂまたはレンズ側端子群１４の第４の信号端子４８ｂは接触するため、ＢＣＰＵ２１の上記アクセサリ及びレンズリセット端子ＬＳＲＳＴから出力され続けているリセット信号は、ＡＣＰＵ２２１のリセット端子ＲＥＳＥＴ３またはＬＣＰＵ４１のリセット端子ＲＥＳＥＴに入力されるので、ＡＣＰＵ２２１またはＬＣＰＵ４１はリセットされる。その後、ステップＳ１０２に移行する。
【００８１】
ステップＳ１０２では、カメラ側端子群６の第１の信号端子２８ａとリアコンバータ２００のカメラ側端子群２１４の第５の信号端子２２８ａまたは交換レンズ１０のレンズ側端子群１４の第３の信号端子４８ａが接触すると、該第１の信号端子２８ａ及び第５の信号端子２２８ａまたは第３の信号端子４８ａはＧＮＤに落ちた状態となる。このＧＮＤ状態を第１の信号端子２８ａに接続されたＢＣＰＵ２１のレンズ検出端子ＬＳＤＴＣＴを介して検出する。レンズ検出端子ＬＳＤＴＣＴがＬ（ロー）でなければ、ステップＳ１４０に分岐し、カメラ本体１にリアコンバータ２００または交換レンズ１０が非装着と判断してリターンする。一方、レンズ検出端子ＬＳＤＴＣＴがＬ（ロー）であれば（図１３，＊３）、ステップＳ１０３に移行する。
【００８２】
ステップＳ１０３では、ＢＣＰＵ２１は、上記電圧安定化回路制御用端子ＶＣＯＮＴに動作信号を出力する（図１３，＊４）。このことにより、上記端子ＶＣＯＮＴに電圧安定化回路２４を介して接続されたカメラ側端子群６の第１の電源端子２６に、電源回路２３から、例えば４．２Ｖの動作電圧が供給され始める（図１３，＊５）。即ち、ＡＣＰＵ２２１またはＬＣＰＵ４１にリセット信号を出力している間に、電源を供給する。その後、ステップＳ１０４に移行する。
【００８３】
ステップＳ１０４では、カメラ本体１に、リアコンバータ２００または交換レンズ１０が装着完了した状態、即ち、３つのバヨネット爪係合部５内にリアコンバータ２００の３つのバヨネット爪部２１３または交換レンズ１０の３つのバヨネット爪部１３が係合し、カメラ本体１にリアコンバータ２００または交換レンズ１０が固定され、連動ピン４が係合穴２１２または係合穴１２に嵌入した状態になったか否かを検出する。即ち、連動ピン４は、押圧バネ４ａによって係合穴２１２または係合穴１２内に突出するため、検知スイッチ２５は本発明における第２の状態であるオンから第１の状態であるオフ状態となったか否か、詳しくは、ＢＣＰＵ２１のロックピンスイッチ端子ＬＰＳＷがＨ（ハイ）になるまで、繰り返し検出を行う。ロックピンスイッチ端子ＬＰＳＷがＨ（ハイ）になれば（図１３，＊６）、即ち検知スイッチ２５が、図６に示すようにオンからオフ状態に変化すれば、ステップＳ１０５に移行する。
【００８４】
ステップＳ１０５では、ロックピンスイッチ端子ＬＰＳＷのオフ状態を受けて、ＢＣＰＵ２１は、図示しないタイマにより、スイッチのチャタリング時間を考慮して設定された所定時間を計時した後、アクセサリ及びレンズリセット端子ＬＳＲＳＴから出力されているリセット信号をＨ（ハイ）にする（図１３，＊７）。即ち、ＡＣＰＵ２２１またはＬＣＰＵ４１のリセット状態を解除する。これにより、ＡＣＰＵ２２１またはＬＣＰＵ４１は作動を開始する。その後、ステップＳ１０６に移行する。
【００８５】
ステップＳ１０６では、ＢＣＰＵ２１は、リセット解除後のＡＣＰＵ２２１またはＬＣＰＵ４１の動作安定待ちを行って、ステップＳ１０７に移行し、該ステップＳ１０７では、レンズ通信要求端子ＬＳＢ２Ｌ１からＨ（ハイ）信号を出力して、レンズＣＰＵ起動応答端子ＬＳＬ２Ｂ１の状態を検出する。その後、ステップＳ１０８に移行する。
【００８６】
ステップＳ１０８では、ＢＣＰＵ２１は、ステップＳ１０７において、上記ＬＳＬ２Ｂ１に反応があれば、即ち、レンズＣＰＵ４１のレンズＣＰＵ起動応答端子ＬＳＬ２Ｂ２から応答があれば、交換レンズ１０は、カメラ本体１に装着されていると判断してステップＳ１３０にジャンプしてレンズ装着確認を終了し、ＢＣＰＵ２１とＬＣＰＵ４１は相互通信を開始する。上記ＬＳＬ２Ｂ１に反応がなければ、ステップＳ１０９に移行する。
【００８７】
ステップＳ１０９では、カメラ本体１に、リアコンバータ２００が装着されているか否かを判断するために、ＢＣＰＵ２１は、アクセサリ通信要求端子ＬＳＢ２Ａ１からＨ（ハイ）信号を出力して（図１３，＊９）、レンズＣＰＵ起動応答端子ＬＳＬ２Ｂ１の状態を検出する。上記ＬＳＬ２Ｂ１に反応があれば（図１３，＊１０）、即ちＡＣＰＵ２２１のＡＣＰＵ起動応答端子ＬＳＬ２Ｂ３から応答があれば、カメラ本体１にリアコンバータ２００が装着されていると判断して、その後、ステップＳ１１０に移行する。
【００８８】
ステップＳ１１０では、所定時間待ちを行った後、ステップＳ１１１に移行し、該ステップＳ１１１では、レンズ通信要求端子ＬＳＢ２Ｌ１からＨ（ハイ）信号を出力して、レンズＣＰＵ起動応答端子ＬＳＬ２Ｂ１の状態を検出する。その後、ステップＳ１１２に移行する。
【００８９】
ステップＳ１１２では、ＢＣＰＵ２１は、ステップＳ１１１において、上記ＬＳＬ２Ｂ１に反応があれば、即ち、レンズＣＰＵ４１のレンズＣＰＵ起動応答端子ＬＳＬ２Ｂ２から応答があれば、交換レンズ１０は、リアコンバータ２００に装着されていると判断してステップＳ１３０にジャンプしてレンズ装着確認を終了し、ＢＣＰＵ２１とＬＣＰＵ４１は相互通信を開始する。上記ＬＳＬ２Ｂ１に反応がなければ、リアコンバータ２００に交換レンズ１０が装着されていないと判断して、その後、ステップＳ１０９に戻る。
【００９０】
次に、ＢＣＰＵ２１によるリアコンバータ２００の装着確認動作及びＢＣＰＵ２１の動作に対応するＡＣＰＵ２２１の初期応答動作を詳細に説明すると、図９は、リアコンバータ２００をカメラ本体１に装着した際のＡＣＰＵ２２１の初期応答動作を示したフローチャート、図１０は、リアコンバータ２００または交換レンズ１０をカメラ本体１に装着した際のＢＣＰＵ２１の交換レンズ装着確認動作を詳細に示したフローチャートである。
【００９１】
図８のステップＳ１０３において、リアコンバータ２００に電源が供給され（図１３，＊５）、続くステップＳ１０４において、カメラ本体１に、リアコンバータ２００が装着完了され、さらに、ステップＳ１０５において、ＡＣＰＵ２２１のリセット状態が解除されると（図１３，＊７）、カメラシステム１００では、リアコンバータ２００への交換レンズ１０の装着開始状態、即ちリアコンバータ２００の３つのバヨネット爪係合部２０５（図１参照）間に、交換レンズ１０の３つのバヨネット爪部１３（図１参照）を嵌合させ、かつ、連動ピン２０４が交換レンズ１０の交換レンズ側マウント部１１に押圧されることにより、該連動ピン２０４が、リアコンバータ２００側マウント部２０２内に後退した状態においては、図６に示すように、連動ピン２０４の後端部が、検知スイッチ２２５を押圧することにより、検知スイッチ２２５が第３の状態であるオフから第４の状態であるオンの状態となる。このオン状態で、ＡＣＰＵ２２１の上記ロックピンスイッチ端子ＬＰＳＷ３がオフからオンに切り替わる（図１４，＊２０）。
【００９２】
上記ＬＰＳＷ３がオンになったことに応じて、ＡＣＰＵ２２１は、ステップＳ２０１において、ハイインピーダンス状態の上記レンズリセット端子ＬＳＲＳＴ３からリセット信号であるＬ（ロー）信号を出力する（図１４，＊２１）。尚、この状態では、リアコンバータ２００のレンズ側端子群２０６と交換レンズ１０のレンズ側端子群１４とは、まだ接触していないため、上記レンズリセット端子ＬＳＲＳＴ３からのリセット信号がＬＣＰＵ４１に送られることはない。
【００９３】
次に、リアコンバータ２００に、交換レンズ１０が装着完了となる直前の状態、即ち、交換レンズ１０を一方向にスライド回転させ、交換レンズ側マウント部１１が連動ピン２０４を押圧しながら回動し、図６に示すように、検知スイッチ２２５がオン状態でかつ連動ピン２０４が係合穴１２に嵌入する直前の状態において、リアコンバータ２００のレンズ側端子群２０６と交換レンズ１０のレンズ側端子群１４は接触する。このとき、レンズ側端子群２０６の第８の信号端子２４８ｂと交換レンズ１０のレンズ側端子群１４の第４の信号端子４８ｂは接触するため、ＡＣＰＵ２２１の上記レンズリセット端子ＬＳＲＳＴ３から出力され続けているリセット信号は、ＬＣＰＵ４１のリセット端子ＲＥＳＥＴに入力されるので、ＬＣＰＵ４１はリセットされる。その後、ステップＳ２０２に移行する。
【００９４】
ステップＳ２０２では、リアコンバータ２００のレンズ側端子群２０６の第７の信号端子２４８ａと交換レンズ１０のレンズ側端子群１４の第３の信号端子４８ａが接触すると、第７の信号端子２４８ａ及び第３の信号端子４８ａはＧＮＤに落ちた状態となる。このＧＮＤ状態を第７の信号端子２４８ａに接続されたＡＣＰＵ２２１のレンズ検出端子ＬＳＤＴＣＴ３を介して検出する。レンズ検出端子ＬＳＤＴＣＴ３がＬ（ロー）でなければ、ステップＳ２０４にジャンプし、一方、レンズ検出端子ＬＳＤＴＣＴがＬ（ロー）であれば（図１４，＊２２）、ステップＳ２０３に移行する。
【００９５】
ステップＳ２０３では、ＡＣＰＵ２２１は、上記電圧安定化回路制御用端子ＶＣＯＮＴ３に動作信号を出力する（図１４，＊２３）。このことにより、上記端子ＶＣＯＮＴ３にトランジスタ２０１を介して接続されたレンズ側端子群２０６の第４の電源端子２２６に、電源回路２３から、例えば４．２Ｖの動作電圧が供給され始める（図１４，＊２４）。即ち、ＬＣＰＵ４１にリセット信号を出力している間に、電源を供給する。その後、ステップＳ２０４に移行する。
【００９６】
ステップＳ２０４では、ＢＣＰＵ２１のアクセサリ通信要求端子ＬＳＢ２Ａ１のＨ（ハイ）を受けて（図１３，＊９）、ＡＣＰＵ２２１のアクセサリ通信要求端子ＬＳＢ２Ａ３２が立ち上がるまで繰り返して（図１４，＊２５）、ステップＳ２０５に移行し、該ステップＳ２０５では、上記ＬＳＢ２Ａ３２がＨ（ハイ）になったことを、即ちカメラ本体１にリアコンバータ２００が装着されていることをＡＣＰＵ起動応答端子ＬＳＬ２Ｂ３をＨ（ハイ）にして（図１４，＊２６）、ＢＣＰＵ２１のレンズＣＰＵ起動応答端子ＬＳＬ２Ｂ１に出力する。その後、ステップＳ２０６に移行する。
【００９７】
ステップＳ２０６では、ＡＣＰＵ２２１のレンズ検出端子ＬＳＤＴＣＴ３がＬ（ロー）及びロックピンスイッチＬＰＳＷ３がＨ（ハイ）になったか否かを判定する。レンズ検出端子ＬＳＤＴＣＴ３がＬ（ロー）及びロックピンスイッチＬＰＳＷ３がＨ（ハイ）でなければ、ステップＳ２０８に分岐し、該ステップＳ２０８では、リアコンバータ２００には、交換レンズ１０が装着されていないと判断されて、レンズ無し情報を通信データ端子ＬＳＤＩＯ３を介して、ＢＣＰＵ２１に送信する（図１４，＊２７）。その後、ステップＳ２１０に移行する。
【００９８】
一方、ステップＳ２０６において、レンズ検出端子ＬＳＤＴＣＴ３がＬ（ロー）及びロックピンスイッチＬＰＳＷ３がＨ（ハイ）であれば、ステップＳ２０７に移行し、リアコンバータ２００に、交換レンズ１０が装着されていると判断されて、レンズ有り情報を通信データ端子ＬＳＤＩＯ３を介して、ＢＣＰＵ２１に送信する（図１４，＊２７）。その後、ステップＳ２１０に移行する。
【００９９】
ステップＳ２１０では、ＡＣＰＵ２２１は、ＢＣＰＵ２１から交換レンズ１０のＬＣＰＵ４１をリセットする信号が入力されたか否かを待って、ステップＳ２１１に移行し、該ステップＳ２１１では、ＢＣＰＵ２１から交換レンズ１０のＬＣＰＵ４１をリセット要求の有無信号が入力されたか否かを判定する。リセット要求の信号が入力されなければ、ステップＳ２２１にジャンプし、リセット要求信号が入力されれば（図１４，＊２８）、ステップＳ２２０に移行する。
【０１００】
ステップＳ２２０では、ＡＣＰＵ２２１は、レンズリセット端子ＬＳＲＳＴ３がＨ（ハイ）になった、即ちＬＣＰＵ４１のリセットを解除したことを確認して（図１４，＊２９）、ステップＳ２２１に移行し、該ステップＳ２２１では、ＡＣＰＵ２２１は、ＡＣＰＵ起動応答端子ＬＳＬ２Ｂ３をＬ（ロー）にして（図１４，＊３０）ＢＣＰＵ２１との通信成功をＢＣＰＵ２１に出力する、その後、ステップＳ２２２に移行し、初期応答動作終了コマンド待ち状態となる。
【０１０１】
また、ＡＣＰＵ２２１が、図９に示す動作を行っている際、カメラ本体１のＢＣＰＵ２１は、図１０に示すように、まずステップＳ３０１において、カメラ本体１にリアコンバータ２００が装着されているか否かを確認するために、アクセサリ通信要求端子ＬＳＢ２Ａ１からＨ（ハイ）を出力する（図１３，＊９）。その後、ステップＳ３０２に移行する。
【０１０２】
ステップＳ３０２では、ＢＣＰＵ２１は、所定時間内に、ＡＣＰＵ２２１のＡＣＰＵ起動応答端子ＬＳＬ２Ｂ３がＨ（ハイ）になったか否かを検出する（図１３，＊１０）。上記ＬＳＬ２Ｂ１がＨ（ハイ）になってなければ、ステップＳ３０４に分岐し、ＢＣＰＵ２１は、カメラ本体１にリアコンバータ２００は装着されていないと認識してステップＳ３０５に移行し、上記ＬＳＬ２Ｂ１がＨ（ハイ）になっておれば、ステップＳ３０３に移行し、ＢＣＰＵ２１は、カメラ本体１にリアコンバータ２００は装着されていると認識して、ステップＳ３０５に移行する。
【０１０３】
ステップＳ３０５では、ＢＣＰＵ２１は、ＡＣＰＵ２２１から通信データ端子ＬＳＤＩＯ３を介して送信されたレンズ無し情報またはレンズ有り情報を通信データ端子ＬＳＤＩＯ１を介して受信して（図１３，＊１１）、ステップＳ３０６に移行する。
【０１０４】
ステップＳ３０６では、ステップＳ３０５において受信した情報から、ＢＣＰＵ２１は、リアコンバータ２００に交換レンズ１０が装着されているか否かを判定する。リアコンバータ２００に交換レンズ１０が装着されていなければ、ステップＳ３０８に分岐して、ＢＣＰＵ２１は、交換レンズ１０のＬＣＰＵ４１をリセットするのは不要である旨の信号を通信データ端子ＬＳＤＩＯ１を介してＡＣＰＵ２２１に送信する（図１３，＊１２）。その後、ステップＳ３１０に移行する。
【０１０５】
一方、ステップＳ３０６において、リアコンバータ２００に交換レンズ１０が装着されておれば、ステップＳ３０７に移行して、ＢＣＰＵ２１は、交換レンズ１０のＬＣＰＵ４１をリセットする旨の信号を通信データ端子ＬＳＤＩＯ１を介してＡＣＰＵ２２１に送信する（図１３，＊１２）。その後、ステップＳ３１０に移行する。
【０１０６】
ステップＳ３１０では、ＢＣＰＵ２１は、ＡＣＰＵ２２１から、ＡＣＰＵ起動応答端子ＬＳＬ２Ｂ３がＬ（ロー）になったことを受けて、所定時間内に、レンズＣＰＵ起動応答端子ＬＳＬ２Ｂ１がＬ（ロー）になったか否か、即ちリアコンバータ２００との通信が成功したか否かを判定する。所定時間内に、レンズＣＰＵ起動応答端子ＬＳＬ２Ｂ１がＬ（ロー）になっていなければ、ステップＳ３１２に分岐し、該ステップＳ３１２では、ＢＣＰＵ２１は、通信失敗判定を行いステップＳ３１３に移行する。
【０１０７】
一方、所定時間内に、レンズＣＰＵ起動応答端子ＬＳＬ２Ｂ１がＬ（ロー）になっておれば（図１３，＊１３）、ステップＳ３１１に移行し、該ステップＳ３１１では、ＢＣＰＵ２１は、通信成功判定を行いステップＳ３１３に移行する。
【０１０８】
ステップＳ３１３では、ＢＣＰＵ２１は、アクセサリ通信要求端子ＬＳＢ２Ａ１がＬ（ロー）になっていることを確認して（図１３，＊１４）、即ちＡＣＰＵ２２１との通信を終了して、その後リターンする。
【０１０９】
次に、ＢＣＰＵ２１によるリアコンバータ２００に装着された交換レンズ１０の装着確認動作及びＢＣＰＵ２１の動作に対応するＬＣＰＵ４１の初期応答動作を詳細に説明すると、図１１は、交換レンズ１０をリアコンバータ２００に装着した際のＬＣＰＵ４１の初期応答動作を示したフローチャート、図１２は、交換レンズ１０をリアコンバータ２００に装着した際のＢＣＰＵ２１の交換レンズ装着確認動作を示したフローチャートである。
【０１１０】
図８のステップＳ１０５において、ＢＣＰＵ２１のアクセサリ及びレンズリセット端子ＬＳＲＳＴから出力されているリセット信号をＨ（ハイ）に（図１３，＊７）された後、即ち、ＡＣＰＵ２２１のリセット状態が解除され、これにより、ＡＣＰＵ２２１の作動が開始された後、または、図９のステップＳ２２０において、ＡＣＰＵ２２１のレンズリセット端子ＬＳＲＳＴ３がＨ（ハイ）になった後、即ちＬＣＰＵ４１のリセットを解除したことが確認（図１４，＊２９）された後、交換レンズ１０のＬＣＰＵ４１は、まず、ステップＳ４０１において、ＢＣＰＵ２１のレンズ通信要求端子ＬＳＢ２Ｌ１からＨ（ハイ）が出力されたことによって（図１３，＊８）、レンズ通信出力端子ＬＳＢ２Ｌ２が立ち上がるまで繰り返して、ステップＳ４０２に移行する。
【０１１１】
ステップＳ４０２では、ＬＣＰＵ４１は、ＢＣＰＵ２１にレンズＣＰＵ起動応答端子ＬＳＬ２Ｂ２がＨ（ハイ）になったことを出力する。即ち、通信可能状態の前段階となったことをＢＣＰＵ２１に出力し、その後ステップＳ４０３に移行する。
【０１１２】
ステップＳ４０３では、ＬＣＰＵ４１は、ＢＣＰＵ２１と通信を行うため、所定時間待った後、ステップＳ４０４に移行し、該ステップＳ４０４では、ＬＣＰＵ４１は、ＢＣＰＵ２１にレンズＣＰＵ起動応答端子ＬＳＬ２Ｂ２がＬ（ロー）になったことを出力する。即ち、通信可能状態となったことをＢＣＰＵ２１に出力し、その後ステップＳ４０５に移行し、最後にステップＳ４０５では、ＬＣＰＵ４１は、初期応答動作を終了し、その後コマンド待ち状態となる。
【０１１３】
また、ＬＣＰＵ４１が、図１１に示す動作を行っている際、カメラ本体１のＢＣＰＵ２１は、図１２に示すように、まずステップＳ３５１において、レンズ通信要求端子ＬＳＢ２Ｌ１がＨ（ハイ）になったことを（図１３，＊８）ＬＣＰＵ４１に出力し、ステップＳ３５２に移行する。
【０１１４】
ステップＳ３５２では、ＬＣＰＵ４１は、所定時間内にＬＣＰＵ４１からレンズＣＰＵ起動応答端子ＬＳＬ２Ｂ２がＬ（ロー）になったことを出力されたか否かを、レンズＣＰＵ起動応答端子ＬＳＬ２Ｂ１が所定時間内に立ち下がったか否かにより判定する。レンズＣＰＵ起動応答端子ＬＳＬ２Ｂ１が立ち下がってなければ、ステップＳ３５３に分岐して、該ステップＳ３５３では、ＢＣＰＵ２１は、カメラ本体１に装着されたリアコンバータ２００には、交換レンズ１が装着されていないと認識して、その後、ステップＳ３５５に移行する。
【０１１５】
一方、ステップＳ３５２において、レンズＣＰＵ起動応答端子ＬＳＬ２Ｂ１が立ち下がっておれば、ステップＳ３５４に移行して、ＢＣＰＵ２１は、カメラ本体１に装着されたリアコンバータ２００には、交換レンズ１が装着されていると認識してその後、ステップＳ３５５に移行する。
【０１１６】
ステップＳ３５５では、ＢＣＰＵ２１は、レンズ通信要求端子ＬＳＢ２Ｌ１がＬ（ロー）になったことをＬＣＰＵ４１に出力し、ＬＣＰＵ４１への通信要求を終了し、その後リターンする。
【０１１７】
このように、本発明の一実施の形態を示すレンズ交換式カメラシステム１００では、カメラ本体１のＢＣＰＵ２１が行う、連動ピン４を用いた検知スイッチ２５のオン検出により、ＢＣＰＵ２１は、確実にリアコンバータ２００のＡＣＰＵ２２１のリセットを行い、その後、カメラ本体１からリアコンバータ２００への電源供給が行われ、さらに続いて、ＡＣＰＵ２２１へのリセットを解除するようにした。
【０１１８】
また、ＢＣＰＵ２１によるリセットが解除された後、リアコンバータ２００のＡＣＰＵ２２１が行う、連動ピン２０４を用いた検知スイッチ２２５のオン検出により、ＡＣＰＵ２１は、確実に交換レンズ１０のＬＣＰＵ４１のリセットを行い、その後、カメラ本体１から交換レンズ１０への電源供給が行われ、さらに続いて、ＬＣＰＵ４１へのリセットを解除するようにした。
【０１１９】
これにより、カメラ本体１に交換レンズ１０またはリアコンバータ２００を装着した際、若しくは、カメラ本体１に交換レンズ１０が装着されたリアコンバータ２００が装着された際に、電源投入直後の電圧不安定状態によるＡＣＰＵ２２１またはＬＣＰＵ４１の不具合を防止することができる。
【０１２０】
尚、本実施の形態においては、アクセサリ装置は、焦点距離を変化させるリアコンバータを例に挙げて説明したが、これに限らず、マニュアルフォーカスレンズをオートフォーカス機能を有するカメラ本体に装着する際に、レンズとカメラ本体との間に装着する既知のオートフォーカス（ＡＦ）アダプタ適用しても本発明の実施の形態と同様の効果が得られるということは、云うまでもない。
【０１２１】
また、アクセサリ装置は、接写用のレンズを装着するための中間アダプタに適用しても良いことは勿論である。
【図面の簡単な説明】
【０１２２】
【図１】本発明の一実施の形態を示すカメラシステムにおけるカメラ本体及び該カメラ本体に着脱可能なリアコンバータ並びに該リアコンバータに着脱可能な交換レンズを示した斜視図。
【図２】図１中のカメラ本体内の電気回路の構成を示すブロック図。
【図３】図１中の交換レンズの電気回路の構成を示すブロック図。
【図４】図１中のリアコンバータの電気回路の構成を示すブロック図。
【図５】図２中のカメラ本体に図４中のリアコンバータを装着後、連動ピンが係合穴に嵌入する直前の状態を示した、レンズ交換式カメラシステムの電気回路の構成を示すブロック図。
【図６】図４中のリアコンバータに図３中の交換レンズを装着後、連動ピンが係合穴に嵌入する直前の状態を示した、レンズ交換式カメラシステムの電気回路の構成を示すブロック図。
【図７】図２中のカメラ本体に装着したリアコンバータに交換レンズを装着した後の状態を示したカメラシステムの電気回路の構成を示すブロック図。
【図８】図２中のカメラ本体にリアコンバータまたは交換レンズを装着する際のＢＣＰＵの装着確認動作を示したフローチャート。
【図９】図４中のリアコンバータをカメラ本体に装着した際のＡＣＰＵの初期応答動作を示したフローチャート。
【図１０】図４中のリアコンバータまたは交換レンズをカメラ本体に装着した際のＢＣＰＵの交換レンズ装着確認動作を詳細に示したフローチャート。
【図１１】図３中の交換レンズをリアコンバータに装着した際のＬＣＰＵの初期応答動作を示したフローチャート。
【図１２】図３中の交換レンズが装着されたリアコンバータをカメラ本体に装着した際のＢＣＰＵの交換レンズ装着確認動作を示したフローチャート。
【図１３】図４中のリアコンバータを装着する前後のカメラ本体のＢＣＰＵの動作を示したタイミングチャート。
【図１４】図３中の交換レンズを装着する前後のリアコンバータのＡＣＰＵの動作を示したタイミングチャート。
【符号の説明】
【０１２３】
１…カメラ本体
４…連動ピン
１０…交換レンズ（撮影レンズ鏡筒）
２１…ＢＣＰＵ（第１のＣＰＵ）
２３…電源回路（電源供給回路）
２５…検知スイッチ
４１…ＬＣＰＵ（第３のＣＰＵ）
１００…レンズ交換式カメラシステム
２００…リアコンバータ（中間アクセサリ）
２０４…連動ピン
２２１…ＡＣＰＵ（第２のＣＰＵ）
２２５…検知スイッチ
代理人    弁理士    伊藤  進
【図１】
2005115170.tif 000003
【図２】
2005115170.tif 000004
【図３】
2005115170.tif 000005
【図４】
2005115170.tif 000006
【図５】
2005115170.tif 000007
【図６】
2005115170.tif 000008
【図７】
2005115170.tif 000009
【図８】
2005115170.tif 000010
【図９】
2005115170.tif 000011
【図１０】
2005115170.tif 000012
【図１１】
2005115170.tif 000013
【図１２】
2005115170.tif 000014
【図１３】
2005115170.tif 000015
【図１４】
2005115170.tif 000016